(57)【特許請求の範囲】
【請求項１】
絶縁性の基板と、
その表面に膜状に形成された導体と抵抗体及びコンデンサを含む実装部品とにより構成された電子回路とを備え、
これらを金属部品と樹脂部品とをシリコン接着剤により接着してなるケースの内部に内装保護したエンジン用電子機器であって、
前記導体のうち、前記電子回路の調整の為に電気的接続をとるプロービング部及び、前記実装部品の導体との接続部となるマウンティング部を除き、前記導体をガラスあるいは樹脂により被覆され、
前記プロービング部及び前記マウンティング部は、前記ガラスあるいは樹脂に囲まれて開口し、その開口部は全て、円形、楕円形、あるいは四角形のコーナー部にＲ（円弧状）あるいはＣ（テーパ状）を設けた形状であって、ハンダあるいは金属ペーストにより覆われ、
更に、前記プロービング部の導体は、前記電子回路のラインから分岐あるいは並列に導体を引き出して形成されたことを特徴とするエンジン用電子機器。
【請求項２】
請求項１において、
前記四角形あるいは前記楕円形の形状は、長辺と短辺の比が０.５〜１.５の範囲にあることを特徴とするエンジン用電子機器。
【請求項３】
請求項１において、
前記四角形の形状は、長辺の１／１０以上のＲあるいはＣを角部に設けたことを特徴とするエンジン用電子機器。
【請求項４】
請求項１において、
前記並列に導体を形成する手段として、前記基板に導体を多層形成し、最上面層を前記プロービング部とし、下層導体をそれとは並列な導体としたことを特徴とするエンジン用電子機器。
【請求項５】
請求項１において、
前記プロービング部では、他の部分よりも導体幅を広く形成し、開口の幅をその導体幅の２／３以下としたことを特徴とするエンジン用電子機器。
【請求項６】
請求項１から５のいずれかにおいて、
前記導体は、銀あるいは銅を主成分としたことを特徴とするエンジン用電子機器。
【請求項７】
請求項１において、
前記絶縁性基板はセラミック製であり、前記導体及び抵抗体は厚膜印刷により形成され、また、前記被覆はガラスの厚膜印刷により形成され、前記プロービング部にはハンダが印刷され、前記実装部品を搭載後に、前記ハンダを加熱溶融することを特徴とするエンジン用電子機器。
【請求項８】
請求項７において、
前記ハンダの印刷膜厚は、前記被覆したガラス膜厚の５倍以上であることを特徴とするエンジン用電子機器。
【請求項９】
請求項７において、
前記ハンダの印刷膜厚は、前記導体の印刷膜厚の５倍以上であることを特徴とするエンジン用電子機器。
【請求項１０】
請求項１記載の電子機器は、発熱抵抗体と前記発熱抵抗体からの信号を伝達するターミナルとを備え、前記ターミナルが前記樹脂部品にインサート成形され、エンジンの吸気管路に取り付けられる発熱抵抗式流量測定装置であることを特徴とするエンジン用電子機器。
【請求項１１】
請求項１０において、
前記ケース部材の一部あるいは全部が前記吸気管路内に位置するように設置されることを特徴とするエンジン用電子機器。
【発明の詳細な説明】
【０００１】
【発明の属する技術分野】
本発明は、電子機器、特にエンジンルーム内に設置される、各種物理量を検出するセンシングエレメントと前記センシングエレメントを制御する電子回路により、各種物理量を電気的信号として出力する各種センサの封止構造及び、前記各種センサの電気的信号を受けて車両の各種状態を制御するマイクロプロセッサ演算機を有する車載用の電子機器の電子回路の耐腐食性向上に関する電子回路の実装構造に関するものである。
【０００２】
【従来の技術】
セラミック基板に厚膜抵抗を印刷し、半導体集積回路，コンデンサ，ダイオード等の部品を搭載して成るハイブリッドＩＣ基板は種々のものが知られている。そのうち、導体配線に銀，銀合金，銅，銅合金を採用したハイブリッドＩＣ基板について、特に車載電子機器に採用されているハイブリッドＩＣ基板については、腐食性ガスによる導体配線の腐食が懸念され、腐食性の向上策として導体配線をガラス等でコーティングすることが考えられているが、ハイブリッドＩＣ基板上に印刷した抵抗、及び実装した電子部品にはばらつきがあり、高精度の電子機器を提供するためには、抵抗値，特性等を調整する必要があり、そのための導体露出部が必要である。この露出部を覆う方法として、ハンダを使用することが一般的であるが、耐腐食性向上目的ではなく、プロービング時の接触を考えられてのものであり、プロービングに必要なところに限定されている。また、ハンダを設けたものでも、ハンダの塗れ性が悪く導体配線の露出部が多くなっている。このハンダ塗れ性の向上策としては、特開平４−３３４０８３号に記載されているように２元焼成等プロセスで改良する方法がとられている。
【０００３】
【発明が解決しようとする課題】
従来技術では、回路を構成する導体配線がオーバーコートされていないものがあり、環境によっては耐腐食性が満足ではない。また、ハンダで覆う構成であっても、ハンダの塗れ性が悪く導体配線，実装部品のマウンティング部の端部、特にコーナー部が露出してしまい、耐腐食性が満足できない。
【０００４】
本発明の目的は、硫黄ガスあるいは硫黄化合ガスに対する電子回路の耐腐食性を向上させるとともに、もし腐食しても電子回路の機能を損なわないようすることにある。
【０００５】
【課題を解決するための手段】
上記目的は、絶縁性の基板と、その表面に膜状に形成された導体と抵抗体及びコンデンサを含む実装部品とにより構成された電子回路とを備え、これらを金属部品と樹脂部品とをシリコン接着剤により接着してなるケースの内部に内装保護したエンジン用電子機器であって、前記導体のうち、前記電子回路の調整の為に電気的接続をとるプロービング部及び、前記実装部品の導体との接続部となるマウンティング部を除き、前記導体をガラスあるいは樹脂により被覆され、前記プロービング部及び前記マウンティング部は、前記ガラスあるいは樹脂に囲まれて開口し、その開口部は全て、円形、楕円形、あるいは四角形のコーナー部にＲ（円弧状）あるいはＣ（テーパ状）を設けた形状であって、ハンダあるいは金属ペーストにより覆われ、更に、前記プロービング部の導体は、前記電子回路のラインから分岐あるいは並列に導体を引き出して形成されたことにより達成される。
【０００７】
【発明の実施の形態】
まず、電子機器として厳しい腐食環境下に晒される車載電子機器の代表的な断面構造を図１に示す。また、車載電子機器が晒される腐食環境を示した図２により、車載電子機器の構造及び使用環境と問題点を説明する。車載電子機器は大別するとセンサとコントロールユニットの燃料制御装置、及びイグナイタやコイルの点火制御装置に分けられる。センサは吸入空気流量，空気温度，大気圧，ブースト圧等の物理量を検出し、コントロールユニットはセンサの信号を受け、シリンダ内での燃焼状態を制御する機能であり、イグナイタやコイルはシリンダ内部の点火時期を制御する機能を担っている。これら、車載電子機器の構造において共通することは、それぞれの電子駆動回路１、あるいは電子制御回路を有し、この電子駆動回路１、あるいは電子制御回路を設置する金属性のベース２に接着固定され、前記で電子駆動回路１、あるいは電子制御回路を格納するケース３をベース２に接着固定４し、更に上面をカバー５で接着固定６構造が多い。前記した電子駆動回路１、あるいは電子制御回路はセラミック等の無機材により形成された平面基板７の表面に回路の導体となる導体配線８と抵抗を印刷し焼成することにより形成し、表面にコンデンサ，ダイオード，半導体集積回路を実装した形態のハイブリッドＩＣ基板９が多くに採用され、ハイブリッドＩＣ基板９からの放熱を促すため、ハイブリッドＩＣ基板９はシリコーン接着剤で前記金属製ベース２に接着固定される。金属製ベース２は放熱のヒートシンクを担うため、熱伝導率の高い金属、特にアルミニウムが多く使用されている。ハイブリッドＩＣ基板９を格納するケース３及び、上面を覆うカバー５は電子駆動回路１の入出力信号インターフェースとなるコネクタと一体となった形状でありケース３を形成する樹脂内部に電気的信号の伝達を司る導電性部材より成るターミナル１１をインサート成形する構造が多く採用されている。ここで、吸入空気温度，吸入空気流量，ブースト圧力等の物理量を検出するセンサは、外部あるいはケース開口部にセンシングエレメント１０が設置される構造となり、電子駆動回路１とターミナル１１を介して電気的に接続されている。ケース３は、ベース２に接着固定４され、カバー５もまたケース３に接着固定６される。ケース３及びカバー５を形成する樹脂材としては、ポリブチレンテレフタレート（ＰＢＴ），ポリフェニレンサルファイド（ＰＰＳ），ナイロン６，ナイロン６６，ナイロン１１，ナイロン１２等の射出成形性の優れた樹脂が多くの車載電子機器に採用されている。
【０００８】
ここで、前記した樹脂製のケース３と金属製のベース２は双方の線膨張係数が大きく異なるため、シリコーン接着剤１２のような粘弾性を有する弾性接着剤で接着封止されることが多い。またケース３とカバー５は同一部材ならエポキシ接着剤，異なる部材ならシリコーン接着剤で封止される例が多い。
【０００９】
以上説明した車載電子機器の多くには構造部品の接合に接着が多く採用され、シリコーン接着剤１２の使用が多いことが特徴である。
【００１０】
しかしながら、シリコーン接着剤１２はシリコーン樹脂特有の性質により不都合な面がある。車載電子機器が搭載される車輌のエンジンルーム内部はエンジンからの燃焼ガスの吹き返しがあり、未燃焼ガスの戻しがあり、ハイドロカーボンの滞留する雰囲気１３に晒される。またエンジンルーム内部はエンジン構成部品に多く配置されている硫黄を含むゴムダクト，ホース等の製品らが群集した状態にあり、エンジン内部の電子機器温度は１００℃を超える状態にも達する。この状態にある際、ゴムダクトやホース等の硫黄で加硫した製品群からは硫黄単体ガス、あるいは硫黄化合ガス１４が湧出す。また、これら硫黄ガスは環境に変遷し、場合によっては前記した燃焼ガスの吹き返し、未燃焼ガスの戻しガス，ハイドロカーボン１３らと混在した複合ガス状態となり、これら腐食性ガスに対して抗力ある車載電子機器を製造しなければ、信頼性の高い製品となり得ない可能性がある。それは、これら車載電子機器において多くの電子駆動回路１の平面基板７上に形成される導体配線８形成には銀、あるいは銀合金により形成されている場合が多く、ケース３内部が腐食性ガス、特に硫黄ガス，硫黄化合ガス１４が侵入した場合、導体配線８となる銀，銀合金，銅，銅合金配線部分は腐食してしまい、電子駆動回路１の導体配線８が断線し、電子駆動回路１が正常に動作しない状態となり得る可能性があるためである。この導体配線８の硫化腐食は導体配線８の露出部分から起こるため、露出部分をガラス，樹脂，はんだ，金属ペーストで覆うことで、腐食性ガスから、電子駆動回路１を保護する機能を改善した車載電子機器を提案するものである。
【００１１】
以下、本発明による電子機器の硫化腐食対策構造について説明する。
【００１２】
電子機器は多種に及び、ここで全てに渡り説明することは困難であるため、電子機器を代表して、図３に示す吸入空気流量を測定する熱式流量測定装置を例として構造、及び本発明の実施例を説明する。まず、熱式流量測定装置の説明を簡単に行う。図３，図４は熱式流量測定装置の構造を示す断面構造図である。熱式流量測定装置は吸入空気を計測するセンサである。発熱抵抗体１５及び感温抵抗体１６を用いた熱式空気流量計１７の発熱抵抗体１５は、空気温度を計測する感温抵抗体１６と常に一定の温度差に保たれるように定温度制御回路１８により定温度制御され、常時加熱されている。前記、発熱抵抗体１５，感温抵抗体１６はエンジンに吸入される空気を流すエアクリーナ、またはエアクリーナの下流に設けたエアダクト内に配置され、定温度制御回路１８とケース３に埋設された導電性部材１１を介し電気的信号の伝達を行う構造となっている。上記した熱式流量測定装置はパワートランジスタ等のパワーデバイスの自己発熱を拡散するためのベース２が構造上の基体となる。前記ベース２に、平面基板７表面、または裏面に導体配線８や抵抗等を印刷で形成し、更に半導体集積回路，パワートランジスタ，コンデンサ，インダクタ，ダイオード等を実装したハイブリッドＩＣ基板９をシリコーン接着剤で接着する。更にハイブリッドＩＣ基板９を格納する基体としてかつ、センサ信号を外部に伝達する、あるいは外部より回路駆動電源を供給するインターフェース部であるコネクタを同時に形成したケース３をベース２上にシリコーン接着剤１２で接着封止、その後ケース３上面にカバー５で覆いシリコーン接着剤，エポキシ接着剤等で封止した構造となっている。ハイブリッドＩＣ基板９には、印刷した抵抗及び導体配線８の上にガラス，樹脂等でコーティングしてあるが、印刷した抵抗の抵抗値を調整するため、また出力等の特性を調整するため導体配線８と電気的に接続させた、プロービング可能なプロービング部を設置する必要があり、プロービング部にプローブ等を接触させ、特性等の調整をおこなっている。前述したように、多くの部材と部材の接着に採用されているシリコーン接着剤１２はガス透過性が高く、腐食環境下にある場合、接着固定４より、ケース３内部に腐食性ガスが透過してしまう。また、ケース３コネクタ部に設けた通気口より、腐食性ガスが侵入してしまう。このことから、ケース３内部のハイブリッドＩＣ基板９の導体配線８や実装部品を腐食に至らせる事態を防止するため、ハイブリッドＩＣ基板９に設けた調整に必要なプロービング部、または導体配線露出部に工夫を凝らし、腐食性ガスが導体配線８の腐食を防止させることで、耐腐食信頼性が高い、熱式流量測定装置を含む電子機器を製造することを可能とする。
【００１３】
具体的には、ハイブリッドＩＣ基板９のプロービング部をハンダ，金属ペースト等でコーティングすることにより、腐食性ガスと導体配線８との接触を減少させ、耐腐食性を向上出来る。また、抵抗値、特性の調整後に導体配線露出部をガラス，樹脂でコーティングすることでも、同様の効果が得られる。
【００１４】
ここで、ハイブリッドＩＣ基板９にプロービング部を設ける場合、ガラス，樹脂のオーバーコートに開口部を設け、開口部をハンダ，金属ペースト等の導電性の金属でコーティングすることが有効であるが、この場合ハンダ，金属ペースト等が導体配線への塗れ性が悪いと、端部、特にコーナー部の導体配線が露出し、腐食性ガスにより腐食する可能性があるため、ハンダあるいは金属ペーストによるコーティング部の表面形状を９０°以下の角部を有さない形状、例えば円形，楕円形，４角形のコーナー部にＲ（円弧状）あるいはＣ（テーパー状）を設けた形状とすることで、導体配線の端部コーナー部の露出を減少することが出来、耐腐食性を向上出来る。４角形の場合、短辺と長辺の比が０.５〜１.５とすること、コーナー部のＲ，ＣはそれぞれＲ０.１〜０.５，Ｃ０.１〜０.５とすることが望ましい。
【００１５】
また、ハイブリッドＩＣ基板９にコンデンサ，インダクタ，ダイオード等の部品を実装するためのマウンティング部においてもハンダ，金属ペーストの塗れ性が悪いと端部、特にコーナー部の導体配線が露出し、腐食性ガスにより腐食する可能性があるため、部品を実装するための導体配線露出部２２のコーナーをＲとしたり、面取りすることで耐腐食性を向上出来る。この時、コーナー部のＲの大きさはＲ０.１〜Ｒ０.５が、面取りの大きさはＣ０.１〜Ｃ０.５が望ましい。
【００１６】
また、導体配線を実装するコンデンサ，インダクタ，ダイオード等の部品下部に形成することで、耐腐食性を向上できる。
【００１７】
また、プロービング部あるいはマウンティング部は、その部分が断線しても電子回路の機能を損なうことがないような、導体ラインから分岐させたところに形成する、あるいは、並列に導体を形成する等の導体パターンにより耐腐食性を向上できる。導体配線を２層以上の多層で形成した場合では、プロービング部の上下をガラス等の絶縁体２５の下層に形成した導体配線２４で接続することで、導体露出部が腐食したとしても、導体配線は下層でつながっており、回路の構成は保たれるため、耐腐食性を向上できる。
【００１８】
また、セラミック基板９の外側に形成された最外側の導体配線２６は、製作段階，実使用状態において応力が加わる機会が多く、内側に形成された導体配線に比べ損傷を受け易いため、最外側の導体幅を内側の導体よりも太くすることで、耐腐食性を向上できる。最外側の導体幅を内側の導体幅の２倍以上とすることで、更に、耐腐食性を向上できる。
【００１９】
【発明の効果】
本発明によれば、硫黄ガスあるいは硫黄化合ガスに対する電子回路の耐腐食性を向上させるとともに、もし腐食しても電子回路の機能を損なわないようすることができる。
【図面の簡単な説明】
【図１】本発明の特徴を示す車載電子機器の断面構成図。
【図２】車載電子機器が措かれる環境の例。
【図３】熱式流量測定装置の構造図。
【図４】熱式流量測定装置の断面構成図。
【図５】電子回路基板構成図。
【図６】電子回路基板プローブ部の例。
【図７】電子回路基板プローブ部の例。
【図８】電子回路基板プローブ部の例。
【図９】電子回路基板プローブ部の例。
【図１０】電子回路基板プローブ部の例。
【図１１】電子回路基板プローブ部の例。
【図１２】電子回路基板プローブ部の例。
【図１３】電子回路基板プローブ部の例。
【図１４】電子回路基板プローブ部の例。
【図１５】電子回路基板の断面構造図。
【図１６】電子回路基板プローブ部の例。
【図１７】電子回路基板の断面構造図。
【図１８】電子回路基板の断面構造図。
【符号の説明】
１…電子駆動回路、２…ベース、３…ケース、４，６…接着固定、５…カバー、７…平面基板、８…導体配線、９…ハイブリッドＩＣ基板、１０…センシングエレメント、１１…ターミナル、１２…シリコーン接着剤、１３…燃焼ガス，未燃焼ガス，ハイドロカーボン等のＮＯｘ，ＨＣの腐食ガス、１４…硫黄化合ガス、１５…発熱抵抗体、１６…感温抵抗体、１７…熱式空気流量計、１８…定温度制御回路、１９…副通路、２０…吸気温センサ、２１…プロービング部、２２…導体配線露出部、２３…抵抗体、２４，２６…導体配線、２５…ガラス等の絶縁体、２７…ハンダ。
【図１】
0004310086.tif 000002
【図２】
0004310086.tif 000003
【図３】
0004310086.tif 000004
【図４】
0004310086.tif 000005
【図５】
0004310086.tif 000006
【図６】
0004310086.tif 000007
【図７】
0004310086.tif 000008
【図８】
0004310086.tif 000009
【図９】
0004310086.tif 000010
【図１０】
0004310086.tif 000011
【図１１】
0004310086.tif 000012
【図１２】
0004310086.tif 000013
【図１３】
0004310086.tif 000014
【図１４】
0004310086.tif 000015
【図１５】
0004310086.tif 000016
【図１６】
0004310086.tif 000017
【図１７】
0004310086.tif 000018
【図１８】
0004310086.tif 000019